(57)【要約】【課題】対象者における変化が発生した場合に、当該変化の前後における対象者の睡眠状況の傾向を可視化したレポートを出力可能なレポート出力プログラムを提供する。【解決手段】対象者に関するレポートをコンピューターに出力させるレポート出力プログラムであって、手順（ａ）〜（ｄ）を含む処理をコンピューターに実行させるためのレポート出力プログラムである。手順（ａ）は、記憶された対象者に関する情報から対象者における変化に関する情報を取得する。手順（ｂ）は、手順（ａ）において取得された変化に関する情報に基づいて、変化があった日を含む所定の期間において蓄積された、対象者の睡眠状況に関する情報を取得する。手順（ｃ）は、手順（ｂ）において取得された睡眠状況に関する情報に基づいて、睡眠状況の傾向を可視化した結果を含むレポートを作成する。手順（ｄ）は、手順（ｃ）において作成されたレポートを出力する。
2020003714.tif 000002
【特許請求の範囲】
【請求項１】
対象者に関するレポートをコンピューターに出力させるレポート出力プログラムであって、
記憶された前記対象者に関する情報から前記対象者における変化に関する情報を取得する手順（ａ）と、
前記手順（ａ）において取得された前記変化に関する情報に基づいて、前記変化があった日を含む所定の期間において蓄積された、前記対象者の睡眠状況に関する情報を取得する手順（ｂ）と、
前記手順（ｂ）において取得された前記睡眠状況に関する情報に基づいて、前記睡眠状況の傾向を可視化した結果を含むレポートを作成する手順（ｃ）と、
前記手順（ｃ）において作成された前記レポートを出力する手順（ｄ）と、
を含む処理をコンピューターに実行させるためのレポート出力プログラム。
【請求項２】
前記睡眠状況は、就寝時刻、起床時刻、睡眠時間および離床回数の少なくとも一つを含む請求項１に記載のレポート出力プログラム。
【請求項３】
前記対象者における変化は、前記対象者の前記睡眠状況に影響する因子における変化を含む請求項１または２に記載のレポート出力プログラム。
【請求項４】
前記因子における変化は、前記対象者の睡眠導入剤の使用量、運動量、昼寝時間および食事内容の少なくとも一つにおける変化を含む請求項３に記載のレポート出力プログラム。
【請求項５】
前記処理は、前記因子が複数ある場合、前記因子の選択を受け付ける手順（ｅ）をさらに含み、
前記因子における変化は、前記手順（ｅ）において受け付けられた前記因子における変化である請求項３または４に記載のレポート出力プログラム。
【請求項６】
前記処理は、前記対象者における変化があったか否かを判断する手順（ｆ）をさらに含み、
前記手順（ｆ）において前記変化があったと判断された場合、前記手順（ａ）において前記変化に関する情報が取得され、前記手順（ｂ）において前記睡眠状況に関する情報が取得され、前記手順（ｃ）において前記レポートが作成され、前記（ｄ）において前記レポートが出力される請求項１〜５のいずれか一項に記載のレポート出力プログラム。
【請求項７】
前記変化に関する情報は、前記対象者に対するケアプランに関する情報に基づいて取得される請求項１〜６のいずれか一項に記載のレポート出力プログラム。
【請求項８】
前記可視化した結果は、図、表およびグラフの少なくともいずれかを含む請求項１〜７のいずれか一項に記載のレポート出力プログラム。
【請求項９】
記憶された対象者に関する情報から前記対象者における変化に関する情報を取得する手順（ａ）と、
前記手順（ａ）において取得された前記変化に関する情報に基づいて、前記変化があった日を含む所定の期間において蓄積された、前記対象者の睡眠状況に関する情報を取得する手順（ｂ）と、
前記手順（ｂ）において取得された前記睡眠状況に関する情報に基づいて、前記睡眠状況の傾向を可視化した結果を含むレポートを作成する手順（ｃ）と、
前記手順（ｃ）において作成された前記レポートを出力する手順（ｄ）と、
を含むレポート出力方法。
【請求項１０】
記憶された対象者に関する情報から前記対象者における変化に関する情報を取得し、取得された前記変化に関する情報に基づいて、前記変化があった日を含む所定の期間において蓄積された、前記対象者の睡眠状況に関する情報を取得する取得部と、
前記取得部によって取得された前記睡眠状況に関する情報に基づいて、前記睡眠状況の傾向を可視化した結果を含むレポートを作成する演算部と、
前記演算部によって作成された前記レポートを出力する出力部と、
を有するレポート出力装置。
【発明の詳細な説明】
【技術分野】
【０００１】
本発明は、レポート出力プログラム、レポート出力方法およびレポート出力装置に関する。特に、本発明は、対象者に関するレポートを出力するレポート出力プログラム、レポート出力方法およびレポート出力装置に関する。
【背景技術】
【０００２】
我が国は、戦後の高度経済成長に伴う生活水準の向上、衛生環境の改善、および医療水準の向上等により、長寿命化が顕著となっている。このため、出生率の低下と相まって、高齢化率が高い高齢化社会になっている。このような高齢化社会では、病気、怪我、および加齢等により、介護を必要とする要介護者等の増加が想定される。【０００３】
老人福祉施設や病院等の施設では、要介護者等である介護等の対象者の当該施設における状況が報告される。報告される対象者の状況には、例えば、対象者の睡眠状況が含まれる。対象者の睡眠状況を報告するための技術としては、例えば、下記特許文献１に記載された技術がある。この技術では、被測定者（対象者）の所定期間の睡眠状態の履歴や、睡眠状態の評価結果等を含む評価レポートが出力される。
【先行技術文献】
【特許文献】
【０００４】
【特許文献１】特開２０１５−１７１５５５号公報
【発明の概要】
【発明が解決しようとする課題】
【０００５】
しかし、特許文献１に記載された技術では、単に所定期間分の対象者の睡眠状態が報告されるに過ぎない。このため、例えば、対象者の睡眠に影響する何らかの変化が発生した場合でも、当該変化が対象者の睡眠状況に与えた影響を、レポートの提供先のユーザーが容易に把握できないという問題がある。【０００６】
本発明は、上述した課題に鑑みてなされたものである。したがって、本発明の目的は、対象者における変化が発生した場合に、当該変化の前後における対象者の睡眠状況の傾向を可視化したレポートを出力可能なレポート出力プログラム、レポート出力方法およびレポート出力装置を提供することである。
【課題を解決するための手段】
【０００７】
本発明の上記課題は、以下の手段によって解決される。【０００８】
（１）対象者に関するレポートをコンピューターに出力させるレポート出力プログラムであって、記憶された前記対象者に関する情報から前記対象者における変化に関する情報を取得する手順（ａ）と、前記手順（ａ）において取得された前記変化に関する情報に基づいて、前記変化があった日を含む所定の期間において蓄積された、前記対象者の睡眠状況に関する情報を取得する手順（ｂ）と、前記手順（ｂ）において取得された前記睡眠状況に関する情報に基づいて、前記睡眠状況の傾向を可視化した結果を含むレポートを作成する手順（ｃ）と、前記手順（ｃ）において作成された前記レポートを出力する手順（ｄ）と、を含む処理をコンピューターに実行させるためのレポート出力プログラム。【０００９】
（２）前記睡眠状況は、就寝時刻、起床時刻、睡眠時間および離床回数の少なくとも一つを含む上記（１）に記載のレポート出力プログラム。【００１０】
（３）前記対象者における変化は、前記対象者の前記睡眠状況に影響する因子における変化を含む上記（１）または（２）に記載のレポート出力プログラム。【００１１】
（４）前記因子における変化は、前記対象者の睡眠導入剤の使用量、運動量、昼寝時間および食事内容の少なくとも一つにおける変化を含む上記（３）に記載のレポート出力プログラム。【００１２】
（５）前記処理は、前記因子が複数ある場合、前記因子の選択を受け付ける手順（ｅ）をさらに含み、前記因子における変化は、前記手順（ｅ）において受け付けられた前記因子における変化である上記（３）または（４）に記載のレポート出力プログラム。【００１３】
（６）前記処理は、前記対象者における変化があったか否かを判断する手順（ｆ）をさらに含み、前記手順（ｆ）において前記変化があったと判断された場合、前記手順（ａ）において前記変化に関する情報が取得され、前記手順（ｂ）において前記睡眠状況に関する情報が取得され、前記手順（ｃ）において前記レポートが作成され、前記（ｄ）において前記レポートが出力される上記（１）〜（５）のいずれか一つに記載のレポート出力プログラム。【００１４】
（７）前記変化に関する情報は、前記対象者に対するケアプランに関する情報に基づいて取得される上記（１）〜（６）のいずれか一つに記載のレポート出力プログラム。【００１５】
（８）前記可視化した結果は、図、表およびグラフの少なくともいずれかを含む上記（１）〜（７）のいずれか一つに記載のレポート出力プログラム。【００１６】
（９）記憶された対象者に関する情報から前記対象者における変化に関する情報を取得する手順（ａ）と、前記手順（ａ）において取得された前記変化に関する情報に基づいて、前記変化があった日を含む所定の期間において蓄積された、前記対象者の睡眠状況に関する情報を取得する手順（ｂ）と、前記手順（ｂ）において取得された前記睡眠状況に関する情報に基づいて、前記睡眠状況の傾向を可視化した結果を含むレポートを作成する手順（ｃ）と、前記手順（ｃ）において作成された前記レポートを出力する手順（ｄ）と、を含むレポート出力方法。【００１７】
（１０）記憶された対象者に関する情報から前記対象者における変化に関する情報を取得し、取得された前記変化に関する情報に基づいて、前記変化があった日を含む所定の期間において蓄積された、前記対象者の睡眠状況に関する情報を取得する取得部と、前記取得部によって取得された前記睡眠状況に関する情報に基づいて、前記睡眠状況の傾向を可視化した結果を含むレポートを作成する演算部と、前記演算部によって作成された前記レポートを出力する出力部と、を有するレポート出力装置。
【発明の効果】
【００１８】
本発明によれば、対象者における変化があった日を含む所定の期間において蓄積された、対象者の睡眠状況に関する情報に基づいて、対象者の睡眠状況の傾向を可視化した結果を含むレポートが出力される。これにより、対象者における変化が発生した場合に、当該変化の前後における対象者の睡眠状況の傾向を可視化したレポートが出力される。したがって、レポートの提供先のユーザーは、対象者における変化が対象者の睡眠状況に与えた影響を容易に把握できる。
【図面の簡単な説明】
【００１９】
【図１】見守りシステムの全体構成を示す図である。
【図２】対象者の部屋に設置された検出部の例を示す図である。
【図３】検出部のハードウェア構成を示すブロック図である。
【図４】サーバーのハードウェア構成を示すブロック図である。
【図５】サーバーの制御部の機能を示すブロック図である。
【図６】本実施形態に係るレポートの例を示す図である。
【図７】管理者端末のハードウェア構成を示すブロック図である。
【図８】携帯端末のハードウェア構成を示すブロック図である。
【図９】サーバーの動作を示すフローチャートである。
【発明を実施するための形態】
【００２０】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２１】
（全体構成）
図１は見守りシステムの全体構成を示す図であり、図２は対象者の部屋のベッド周辺に設置された検出部の例を示す図である。
【００２２】
図１に示すように、見守りシステム１は、複数の検出部１０、サーバー２０、管理者端末３０、および１つ以上のスタッフ端末４０を備える。これらは、有線や無線によって、ＬＡＮ（Ｌｏｃａｌ  Ａｒｅａ  Ｎｅｔｗｏｒｋ）、電話網またはデータ通信網等のネットワーク５０を介して、相互に通信可能に接続される。ネットワーク５０は、通信信号を中継するリピーター、ブリッジ、ルーターまたはクロスコネクト等の中継機を備えてもよい。図１に示す例では、スタッフ端末４０は、検出部１０、サーバー２０、および管理者端末３０と、アクセスポイント５１を含む無線ＬＡＮ等（例えばＩＥＥＥ８０２．１１規格に従ったＬＡＮ）のネットワーク５０によって、相互に通信可能に接続されている。
【００２３】
見守りシステム１は、対象者７０に応じて適宜な場所に配設される。対象者７０（見守り対象者）は、例えば、病気や怪我等によって看護を必要とする患者、高齢による身体能力の低下等によって介護を必要とする被介護者、一人暮らしの独居者等である。特に、早期発見および早期対処を可能にする観点から、対象者７０は、例えば異常状態等の所定の不都合な事象がその者に生じた場合に、その発見を必要としている者であり得る。このため、見守りシステム１は、対象者７０の種類に応じて、病院、老人福祉施設、および住戸等の建物に好適に配設される。図１に示す例では、見守りシステム１は、複数の対象者７０が入居する複数の部屋（居室）やナースステーションを含む複数の部屋を備える施設の建物に配置されている。
【００２４】
検出部１０は、対象者７０の観察領域であるそれぞれの居室に配置される。図１に示す例では、４つの検出部１０が対象者７０であるＡさん、Ｂさん、ＣさんおよびＤさんの居室にそれぞれ配置されている。検出部１０の観察領域にはベッド６０が含まれている。対象者７０に対して介護または看護等の対応（例えば、ケア）を行うスタッフ８０は、それぞれ携帯端末であるスタッフ端末４０を持ち歩いている。ただし、見守りシステム１が備える各構成の位置や個数等は、図１に示す例に限定されない。例えば、サーバー２０は、ナースステーションに配置されなくてもよく、ネットワーク５０に接続されている外部のサーバーユニットであってもよい。
【００２５】
（検出部１０）
図３は、検出部のハードウェア構成を示すブロック図である。同図に示すように、検出部１０は、制御部１１、通信部１２、カメラ１３、ナースコール部１４、および音声入出力部１５を備え、これらはバスによって、相互に接続されている。
【００２６】
制御部１１は、ＣＰＵ（Ｃｅｎｔｒａｌ  Ｐｒｏｃｅｓｓｉｎｇ  Ｕｎｉｔ）、およびＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等のメモリにより構成され、プログラムにしたがって検出部１０の各部の制御および演算処理を行う。なお、制御部１１は、メモリとして、さらにＨＤＤ（Ｈａｒｄ  Ｄｉｓｋ  Ｄｒｉｖｅ）を備えてもよい。
【００２７】
通信部１２は、ネットワーク５０を介して、例えば、サーバー２０、管理者端末３０またはスタッフ端末４０等の、他の装置と通信するためのインターフェース回路（例えばＬＡＮカード等）である。
【００２８】
カメラ１３は、例えば居室の天井、または壁の上部に配置され、観察領域として対象者７０のベッド６０を含む領域を撮影し、撮影画像（画像データ）を出力する。以下、カメラ１３により撮影された画像を、単に「撮影画像」とも称する。撮影画像には、対象者７０を含む画像が含まれる。また、撮影画像には、静止画および動画が含まれる。カメラ１３は、近赤外線カメラであるが、これに換えて可視光カメラを用いてもよく、これらを併用してもよい。
【００２９】
制御部１１は、カメラ１３が撮影した撮影画像から、対象者７０の行動を認識する。認識される行動には、例えば、対象者７０がベッド６０から起き上がる「起床」、ベッド６０から離れる「離床」、床面等に転倒する「転倒」、およびベッド６０から転落する「転落」等が含まれる。
【００３０】
制御部１１は、複数の撮影画像（動画像）から画像のシルエット（以下、「人シルエット」と称する）を検出する。人シルエットは、例えば、撮影時刻が前後する画像の差分を抽出する時間差分法により差分が相対的に大きい画素の範囲を抽出することで検出され得る。人シルエットは、撮影画像と背景画像との差分を抽出する背景差分法により検出されてもよい。起床、離床、転倒、転落の別は、検出した人シルエットに基づく対象者７０の姿勢（例えば立位、座位および横臥等）、およびベッド６０等の居室内の設置物との相対的な位置関係等から認識される。これらの認識は、制御部１１のＣＰＵが処理するプログラムにより行ってもよく、組み込み型の処理回路により行ってもよい。また、これに限られず、サーバー２０でこれらの認識の全部またはほとんどの処理が行われ、制御部１１ではサーバー２０への撮影画像の送信のみが行われてもよい。制御部１１は、いずれかの行動を認識した場合、その行動が発生した旨の通知をサーバー２０等に送信する。
【００３１】
なお、本実施形態では、制御部１１は、カメラ１３が撮影した撮影画像から、対象者７０がベッド６０に入る「入床」を認識し、サーバー２０等に通知してもよい。また、制御部１１は、カメラ１３が撮影した撮影画像から、対象者７０が観察領域にいる状態を居室にいる状態（すなわち「在室」）、観察領域にいない状態を居室にいない状態（すなわち「不在」）とそれぞれ認識し、サーバー２０等に通知してもよい。
【００３２】
スタッフ８０は、業務に応じた、対象者７０への各種の対応を行う者である。業務には、医療業務、介護業務が含まれ得る。ここで、スタッフ８０の業務が、対象者７０に対する介護業務である場合に、各イベントに関する対応内容について説明する。イベントとして「起床」が判定され、その判定が所定時間内（施設で設定された起床時間（例えば午前７〜８時））であれば、モーニングケアが行われる。このモーニングケアには、洗顔、歯磨き介助、義歯装着、着替え介助等が含まれる。また、「離床」のイベントであれば、車椅子移乗、歩行介助が必要となる場合がある。また、検出部１０が判定したイベント以外の定期的（定時）なイベントとして、飲料、および食事介助、排泄介助、車椅子移乗、歩行介助、体位変換（褥瘡予防）がある。これらの定期的なイベントは、ナースコール部１４等により、定時になるとアラートを発生させるようにしてもよい。
【００３３】
ナースコール部１４は、押しボタン式のスイッチを含み、スイッチが対象者７０によって押されることでナースコールを検出する。ナースコールにはケアコール等が含まれる。押しボタン式のスイッチに換えて、音声マイクによりナースコールを検出してもよい。ナースコール部１４のスイッチが押された場合、すなわち、ナースコールを検出した場合、制御部１１は、通信部１２およびネットワーク５０を介して、ナースコールがあった旨の通知（ナースコール通知）をサーバー２０等に送信する。
【００３４】
音声入出力部１５は、例えばスピーカーとマイクを備え、通信部１２を介してスタッフ端末４０等との間で音声信号を送受信することで音声通話を可能とする。なお、音声入出力部１５は検出部１０の外部装置として、通信部１２を介して検出部１０に接続されてもよい。
【００３５】
また、検出部１０は、ベッド６０の方向に向けてマイクロ波を送受信して対象者７０の体動（例えば呼吸動）によって生じたマイクロ波のドップラシフトを検出するドップラシフト方式の体動センサーを、さらに備えてもよい。体動センサーは、対象者７０の呼吸動作に伴う胸部の体動（胸部の上下動）を検出し、その胸部の体動における周期の乱れや予め設定された閾値以下である胸部の体動における振幅を検知すると、微体動異常であると認識する。
【００３６】
本実施形態では、検出部１０は、上述したような撮影画像における対象者７０の姿勢や、ベッド６０との相対的な位置関係等に基づいて、対象者７０の就寝（入床）、起床および離床等を認識することによって、対象者７０の睡眠状況を検出する。検出部１０は、対象者７０の睡眠状況として、対象者７０の就寝時刻（就寝時間）、起床時刻（起床時間）、睡眠時間および離床回数等を測定する。ここで、睡眠時間は、就寝時刻から起床時刻までの時間における睡眠の合計時間（すなわち、離床等によって睡眠していない時間は除かれる）、離床回数は、就寝時刻から起床時刻までの時間における離床の回数にそれぞれ対応するものとする。
【００３７】
なお、検出部１０は、対象者７０の夜間における睡眠状況に加えて、昼間における睡眠状況として、昼寝時間（昼寝をしている時間）等をさらに測定してもよい。また、検出部１０は、上述したような体動センサーを用いて対象者７０の胸部の体動を検出することによって、対象者７０の睡眠状況をより正確に検出してもよい。たとえば、検出部１０は、撮影画像によって対象者７０の就寝時刻（入床時刻）を測定する代わりに、体動センサーによって対象者７０の入眠時刻を正確に測定してもよい。また、検出部１０は、対象者７０の睡眠状況として、就寝時刻から起床時刻までの時間において睡眠していない時間（すなわち、中途覚醒している時間等）や、就寝時刻から起床時刻までの時間における離床の合計時間である離床時間等をさらに測定してもよい。
【００３８】
検出部１０は、対象者７０の睡眠状況を検出すると、対象者７０の睡眠状況に関する情報を、サーバー２０へ送信（出力）する。
【００３９】
また、本実施形態では、対象者７０に関する検出部１０が認識した状態の変化であって、起床、離床、転倒、転落、微体動異常等のスタッフ８０に発報（報知）を行うべき事象をイベントと称する。イベントには、ナースコール部１４によるナースコールが含まれる。すなわち、検出部１０は、観察領域における対象者７０の動きとして、対象者７０によるナースコールを検出してもよい。検出部１０は、生じたイベントの情報および撮影画像をサーバー２０へ送信（出力）する。なお、上述したような対象者７０の睡眠状況は、サーバー２０に送信されるイベントの情報および撮影画像等に基づいて、サーバー２０において検出されてもよい。
【００４０】
（サーバー２０）
図４は、サーバーのハードウェア構成を示すブロック図である。
【００４１】
レポート出力装置としてのサーバー２０は、制御部２１、通信部２２、および記憶部２３を備える。サーバー２０は、対象者７０用の居室と同じ建物内に設けられてもよく、遠隔地に設けられてネットワークを介して接続可能であってもよい。例えば、サーバー２０は、インターネット等のネットワーク上に配置された複数のサーバーによって仮想的に構築されるクラウドサーバーであってもよい。各構成は、バスによって、相互に通信可能に接続されている。制御部２１および通信部２２は、検出部１０の各構成と同様の機能を有するため、詳細な説明を省略する。
【００４２】
記憶部２３は、本実施形態に係るプログラムを記憶する。サーバー２０の上記構成要素は、プログラムに従い、制御部２１により制御される。記憶部２３は、対象者７０に関する各種情報を記憶し蓄積する。対象者７０に関する情報（以下、「対象者情報」と称する）は、対象者７０の行動および状態の情報を構成する。
【００４３】
本実施形態では、対象者情報は、対象者７０の睡眠状況に関する情報（以下、「対象者睡眠状況情報」と称する）を含む。対象者睡眠状況情報は、例えば、検出部１０によって測定される対象者７０の就寝時刻、起床時刻、睡眠時間および離床回数の少なくとも一つに関する情報を含む。
【００４４】
また、対象者情報は、対象者７０に対するケアプランに関する情報（以下、「対象者ケアプラン情報」と称する）をさらに含んでもよい。ケアプランは、対象者７０に対する介護内容等の計画であり、例えば、就寝前における睡眠導入剤の使用計画、昼間における運動の計画、昼寝の計画、ならびに食事メニュー、食事量および食事時間等を含む食事の計画等を含む。すなわち、対象者ケアプラン情報は、例えば、対象者７０の睡眠導入剤の使用量、運動量、昼寝時間および食事内容等の少なくとも一つの計画に関する情報を含む。なお、ケアプランは、例えば、管理者端末３０において管理者９０によって作成されてもよいし、任意の他のコンピューター端末において作成されてもよい。
【００４５】
また、対象者情報は、介護記録、イベントの情報、撮影画像、オープンデータ、その他の対象者７０に関する各種情報をさらに含んでもよい。具体的には、対象者情報は、例えば、対象者７０の食事量、水分摂取量、血圧、体温、排泄回数、離床数、ナースコール数、行事中の様子、対象者７０の居室の室温および湿度、ならびに対象者７０の居室がある施設が含まれる地域の天気等に関する情報をさらに含んでもよい。
【００４６】
なお、記憶部２３は、スタッフ８０に関する各種情報をさらに記憶し蓄積してもよい。スタッフ８０に関する情報は、例えば、イベントに対応した回数やイベントへの対応に要した時間等に関する情報を含んでもよい。
【００４７】
サーバー２０は、検出部１０から受信したイベントの情報および撮影画像を単独で、または検出部１０と協働することで、検出部１０が認識した、起床、離床、転倒、転落、微体動異常、ナースコール等のイベントが、どの対象者７０に関するものであるかを判定（識別）する。この判定は、イベントを認識した検出部１０が設置されている居室番号から、これに対応付けられている対象者７０（すなわち、居室の入居者）を判定することにより行われる。なお、対象者７０の判定は、対象者７０がＩＣタグを携帯している場合には、このＩＣタグを各居室に設けたＲＦＩＤリーダーで読み取ることにより行われてもよい。なお、相部屋等で、１つの居室に複数の対象者７０が存在する場合には、ベッド６０ごとに検出部１０を配置することで、対象者７０が判定されてもよい。
【００４８】
サーバー２０は、検出部１０からイベントの情報を受信したときは、イベントを発生させた対象者７０の氏名、部屋番号、およびイベントの内容を含むイベント通知をスタッフ端末４０へ送信することで、スタッフ８０にイベントの発生を報知するとともに、イベントへの対応を指示する。
【００４９】
サーバー２０は、対象者７０に関するレポートを作成して出力する。レポートは、定期的（例えば月ごと）に作成され、出力され得る。レポートは、指示があるごとに不定期に作成され、出力されてもよい。提供用のレポートを出力することには、レポートをデータとして管理者端末３０等の任意のコンピューター端末へ送信することや、コンピューター端末へデータを送信して表示部にレポートを表示させることや、画像形成装置へデータを送信して印刷物としてレポートを出力させることが含まれる。また、コンピューター端末から施設のウェブサイトへアクセスすることで、当該コンピューター端末からブラウザーを介してレポートを視認できる場所へ当該レポートのデータをアップロードすること等も含まれる。
【００５０】
図５は、サーバーの制御部の機能を示すブロック図である。
【００５１】
図５に示すように、サーバー２０の制御部２１は、プログラムを読み込んで処理を実行することによって、入力制御部２１１、記憶制御部２１２、取得部２１３、演算部２１４、および出力制御部２１５として機能する。
【００５２】
入力制御部２１１は、上述したような対象者情報を、通信部２２を介して受け付ける。本実施形態では、入力制御部２１１は、例えば、検出部１０から送信される対象者睡眠状況情報を受け付ける。また、入力制御部２１１は、例えば、管理者９０等によって管理者端末３０等に入力され、管理者端末３０等から送信される対象者ケアプラン情報をさらに受け付けてもよい。
【００５３】
また、入力制御部２１１は、例えば、スタッフ８０によってスタッフ端末４０に入力され、スタッフ端末４０から送信される介護記録に関する情報を、さらに受け付けてもよい。さらに、入力制御部２１１は、検出部１０から送信されるイベントの情報および撮影画像、対象者７０の各居室に備えられた無線送信機能を有する温湿度計から送信される対象者７０の各居室の気温および湿度、オープンデータを提供する政府機関等から送信される天気等に関する情報を、さらに受け付けてもよい。
【００５４】
また、入力制御部２１１は、管理者端末３０の入力部３４に入力された、レポートの作成対象となる対象者７０の指定を、通信部２２を介して受け付ける。レポートには、指定された対象者７０の睡眠状況の傾向が可視化された図、表およびグラフの少なくともいずれか（以下、「可視化図表」とも称する）が、可視化された結果として含まれる。レポートの詳細については、図６を参照して後述する。
【００５５】
なお、入力制御部２１１は、管理者端末３０の入力部３４に入力された、レポートの作成対象となる睡眠状況の項目の指定を、通信部２２を介してさらに受け付けてもよい。睡眠状況の項目には、例えば、就寝時刻、起床時刻、睡眠時間および離床回数等が含まれる。具体的には、例えば、睡眠状況の項目の候補が、管理者端末３０の表示部３３に選択可能に表示され、当該項目のうちの少なくとも一つが、管理者端末３０の入力部３４を介して、管理者９０等によって選択されてもよい。
【００５６】
また、入力制御部２１１は、管理者端末３０の入力部３４に入力された、レポートの提供先となるユーザーの指定を、通信部２２を介してさらに受け付けてもよい。ユーザーの種類には、例えば、対象者７０の家族、対象者７０が入所する施設のスタッフ８０および管理者９０、ならびに医者および看護師等の医療関係者等が含まれてもよい。
【００５７】
また、入力制御部２１１は、管理者端末３０の入力部３４に入力された、レポートに追加する管理者９０等のコメントを、通信部２２を介してさらに受け付けてもよい。
【００５８】
記憶制御部２１２は、上述したような対象者情報を記憶部２３に記憶させることで蓄積する。対象者情報には、記憶部２３に蓄積された日時が付与される。本実施形態では、記憶制御部２１２は、例えば、対象者情報として、対象者睡眠状況情報および対象者ケアプラン情報等を記憶部２３に蓄積する。
【００５９】
取得部２１３は、記憶部２３に蓄積された対象者情報のうち、レポートの作成に必要な情報を取得する。
【００６０】
本実施形態では、まず、取得部２１３は、対象者７０における変化に関する情報（以下、「対象者変化情報」と称する）を取得する。取得部２１３は、例えば、対象者７０に対するケアプランが変更されると、対象者７０に何らかの変化が発生することに応じて、記憶部２３に蓄積された対象者ケアプラン情報に基づいて、対象者変化情報を取得する。取得部２１３は、例えば、記憶部２３に蓄積された、日毎の対象者ケアプラン情報を比較することによってケアプランにおける変更を確認し、当該変更に関する情報を、対象者変化情報として取得する。あるいは、ケアプランにおける変更があった場合、当該変更があった旨の情報が記憶部２３に記憶されてもよく、取得部２１３は、当該情報に基づいて、ケアプランにおける変更に関する情報を、対象者変化情報として取得してもよい。
【００６１】
対象者７０における変化は、例えば、対象者７０に対するケアプランが変更されることによって発生する、対象者７０の睡眠状況に影響する因子における変化を含む。対象者７０の睡眠状況に影響する因子の例として、対象者７０のケアプランに含まれる、対象者７０の睡眠導入剤の使用量、運動量、昼寝時間、ならびに食事メニュー、食事量および食事時間等を含む食事内容等が挙げられる。すなわち、対象者７０の睡眠状況に影響する因子における変化の例として、対象者７０の睡眠導入剤の使用量における変化、運動量における変化、昼寝時間における変化、および食事内容における変化等が挙げられる。ただし、対象者７０の睡眠状況に影響する因子の例は、これらに限定されない。
【００６２】
そして、取得部２１３は、所定の期間において蓄積された対象者睡眠状況情報を、対象者７０の睡眠状況の傾向を可視化したレポートの作成に必要な情報として取得する。所定の期間は、上述したような対象者７０における変化があった日に基づいて設定される期間であり、例えば、当該変化があった日を含む任意の期間である。すなわち、所定の期間は、例えば、対象者７０における変化があった日よりも前の３日間と当該変化があった日以後の４日間とを含む１週間であってもよいが、これに限定されない。
【００６３】
なお、取得部２１３が対象者変化情報を取得する方法は、上述した例に限定されない。取得部２１３は、例えば、記憶部２３に蓄積された介護記録に基づいて、対象者変化情報を取得してもよい。この場合、介護記録には、例えば、対象者７０の睡眠導入剤の使用量における変化、運動量における変化、昼寝時間における変化、および食事内容における変化等の少なくとも一つが入力されているものとする。また、取得部２１３は、任意の他の方法によって提供される対象者変化情報を取得してもよい。
【００６４】
演算部２１４は、レポートの作成に必要な情報として取得された情報に基づいて、可視化図表を含むレポートを作成する。本実施形態では、演算部２１４は、取得された対象者睡眠状況情報に基づいて、対象者７０の睡眠状況の傾向を可視化した図、表およびグラフの少なくともいずれかを含むレポートを作成する。
【００６５】
出力制御部（出力部）２１５は、作成されたレポートを、通信部２２を介して出力する。
【００６６】
図６は、本実施形態に係るレポートの例を示す図である。
【００６７】
図６に示す例では、レポートの作成対象となる対象者７０が、３号室のＡさんである場合のレポートが示されている。また、レポートに含まれる可視化図表として、対象者７０の就寝時刻、起床時刻、睡眠時間および離床回数の傾向を可視化したグラフと、対象者７０の睡眠時間および離床回数の傾向を数値によって可視化した表とが示されている。なお、図６に示す例において、「横臥」は、対象者７０がベッド６０上にいて睡眠している状態に対応するものとする。また、「在室」は、対象者７０がベッド６０上にいるが睡眠はしていない状態、または居室において離床した状態に対応し、「不在」は、対象者７０が居室にいない状態に対応するものとする。ただし、グラフにおける項目は、図６に示す例に限定されない。例えば、グラフにおける項目は、対象者７０がベッド６０上にいて睡眠している状態に対応する「睡眠」、対象者７０がベッド６０上にいるが睡眠はしていない状態に対応する「覚醒」、対象者７０が離床した状態（居室にいるか否かを問わない）に対応する「離床」等の項目を含んでもよい。
【００６８】
図６に示す例では、１月４日に、対象者７０における変化、すなわち、対象者７０の睡眠導入剤（睡眠薬）の使用量（使用の有無）における変化が発生している。このため、当該変化があった日よりも前の３日間と当該変化があった日以後の４日間とを含む、１週間分のレポートが示されている。これにより、レポートの提供先のユーザーは、当該変化の後に、例えば、対象者７０の睡眠時間が長くなったり、離床回数が減少したりすることによって、対象者７０の睡眠状況が改善したことを把握できる。このように、本実施形態では、対象者７０における変化の前後における、対象者７０の睡眠状況の傾向を可視化したレポートが出力され、ユーザーは、当該変化が対象者７０の睡眠状況に与えた影響を容易に把握できる。
【００６９】
なお、レポートには、分析結果を示すコメントがさらに追加されてもよい。例えば、対象者７０の睡眠状況が、睡眠導入剤を使用した後に改善した旨や、睡眠導入剤の使用量が十分であった旨を示すコメントがさらに追加されてもよい。分析結果は、例えば、プログラムにより、可視化図表の作成に用いられた対象者睡眠状況情報を統計処理することで、対象者７０の睡眠状況における傾向や特異点を特定し、特定した傾向や特異点に対応する事実を解析することで作成され得る。分析結果は、ディープラーニング等の機械学習技術を利用して、制御部２１によって自動的に作成されてもよい。また、後述するように、レポートに含まれる予定の可視化図表が、管理者端末３０に一旦表示され、当該可視化図表を確認した管理者９０によって入力されたコメントが、レポートに追加されてもよい。また、コメントには、介護記録に記載された特記事項が転用されてもよい。
【００７０】
（管理者端末３０）
図７は、管理者端末のハードウェア構成を示すブロック図である。管理者端末３０は、いわゆるＰＣ（Ｐｅｒｓｏｎａｌ  Ｃｏｍｐｕｔｅｒ）であり、制御部３１、通信部３２、表示部３３、および入力部３４を備え、これらはバスにより相互に接続される。
【００７１】
制御部３１は、検出部１０の制御部１１と同様の構成として、ＣＰＵ、ＲＡＭ、ＲＯＭ等を備える。
【００７２】
通信部３２は、イーサネット（登録商標）等の規格による有線通信のネットワークインターフェースや、Ｂｌｕｅｔｏｏｔｈ（登録商標）、ＩＥＥＥ８０２．１１等の規格による無線通信のインターフェース等の各種ローカル接続向けのインターフェースであり、ネットワーク５０に接続した各端末との通信を行う。
【００７３】
表示部３３は、例えば液晶ディスプレイであり、各種情報を表示する。
【００７４】
入力部３４は、キーボード、テンキー、マウス等を備えており、各種情報の入力を受け付ける。
【００７５】
本実施形態では、管理者端末３０は、管理者９０用の端末として用いられる。管理者９０は、レポートの作成において責任を有する者である。管理者９０は、例えば、複数のスタッフ８０を統括するマネージャーである。
【００７６】
また、管理者端末３０は、レポートの作成対象となる対象者７０の指定を管理者９０から受け付け、サーバー２０へ送信する。また、管理者端末３０は、レポートの作成対象となる睡眠状況の項目の指定や、レポートの提供先となるユーザーの指定をさらに受け付け、サーバー２０へ送信してもよい。また、管理者端末３０は、サーバー２０から送信された、レポートに含まれる予定の可視化図表を一旦表示して、当該可視化図表を確認した管理者９０によって入力されたコメントを受け付け、サーバー２０へ送信してもよい。
【００７７】
（スタッフ端末４０）
図８は、携帯端末のハードウェア構成を示すブロック図である。スタッフ端末４０は、制御部４１、無線通信部４２、表示部４３、入力部４４、および音声入出力部４５を備え、これらはバスにより相互に接続される。
【００７８】
制御部４１は、検出部１０の制御部１１と同様の構成として、ＣＰＵ、ＲＡＭ、ＲＯＭ等を備える。
【００７９】
無線通信部４２は、Ｗｉ−Ｆｉ、Ｂｌｕｅｔｏｏｔｈ（登録商標）等の規格を用いた無線通信を可能にし、アクセスポイント５１を経由して、または直接的に各装置と無線通信する。
【００８０】
表示部４３および入力部４４は、タッチパネルであり、液晶等で構成される表示部４３の表示面に、入力部４４としてのタッチセンサーを重畳させたものである。表示部４３および入力部４４は、スタッフ８０に対して、各種指示を表示する。また、表示部４３、入力部４４は、イベント通知を含む操作画面を表示したり、操作画面を通じてイベントへの対応の意思の入力や、介護記録の入力等の各種の操作を受け付けたりする。
【００８１】
音声入出力部４５は、例えばスピーカーとマイクを備え、無線通信部４２を介して、検出部１０や他のスタッフ端末４０等との間でスタッフ８０による音声通話を可能にする。スタッフ端末４０は、例えば、タブレット型コンピューター、スマートフォンまたは携帯電話等の、持ち運び可能な通信端末機器によって構成され得る。
【００８２】
なお、検出部１０、サーバー２０、管理者端末３０、およびスタッフ端末４０は、上記の構成要素以外の構成要素を含んでもよく、あるいは、上記の構成要素のうちの一部を含まなくてもよい。
【００８３】
見守りシステムにおけるサーバー２０の動作について説明する。
【００８４】
図９は、サーバーの動作を示すフローチャートである。本フローチャートは、サーバー２０の記憶部２３に記憶されたプログラムに従い、制御部２１により実行され得る。
【００８５】
入力制御部２１１は、対象者情報を受け付ける（ステップＳ１０１）。記憶制御部２１２は、入力制御部２１１によって受け付けられた対象者情報を記憶部２３に記憶させることで蓄積する（ステップＳ１０２）。上述したように、記憶制御部２１２は、対象者情報として、対象者睡眠状況情報および対象者ケアプラン情報等を記憶部２３に蓄積する。また、ステップＳ１０１およびＳ１０２の処理は、例えば、検出部１０から対象者睡眠状況情報が送信されたり、管理者端末３０等から対象者ケアプラン情報が送信されたりする度に、繰り返し実行されるものとする。
【００８６】
続いて、入力制御部２１１は、例えば、管理者端末３０においてレポートの作成対象となる対象者７０の指定が入力された場合、管理者端末３０から当該指定を受け付ける（ステップＳ１０３）。なお、施設に入居するすべての対象者７０を対象とするレポート作成する場合は、本ステップは実行されない。また、入力制御部２１１は、レポートの作成対象となる睡眠状況の項目の指定や、レポートの提供先となるユーザーの指定等をさらに受け付けてもよい。
【００８７】
取得部２１３は、記憶された対象者情報から対象者変化情報を取得する（ステップＳ１０４）。取得部２１３は、例えば、ステップＳ１０２において記憶部２３に蓄積された対象者ケアプラン情報に基づいて、対象者変化情報を取得する。なお、対象者ケアプラン情報に基づいて、対象者７０における変化がないことが確認された場合、図９に示す処理は終了されてもよい。そして、取得部２１３は、ステップＳ１０４において取得された対象者変化情報に基づいて、対象者７０における変化があった日を含む所定の期間における情報として記憶部２３に蓄積された、対象者睡眠状況情報を取得する（ステップＳ１０５）。
【００８８】
演算部２１４は、ステップＳ１０５において取得された対象者睡眠状況情報に基づいて、対象者７０の睡眠状況の傾向を可視化した結果、すなわち可視化図表を含むレポートを作成する（ステップＳ１０６）。なお、演算部２１４は、レポートに含まれる予定の可視化図表を管理者端末３０に一旦送信し、管理者端末３０からレポートに追加するコメントを受け付けた場合、レポートにコメントを追加して、最終的なレポートを作成してもよい。
【００８９】
出力制御部２１５は、ステップＳ１０６において作成されたレポートを出力する（ステップＳ１０７）。
【００９０】
以上のように、レポート出力プログラムによれば、対象者７０における変化があった日を含む所定の期間において蓄積された、対象者７０の睡眠状況に関する情報に基づいて、対象者７０の睡眠状況の傾向を可視化した結果を含むレポートが出力される。これにより、対象者７０における変化が発生した場合に、当該変化の前後における対象者７０の睡眠状況の傾向を可視化したレポートが出力される。したがって、レポートの提供先のユーザーは、対象者７０における変化が対象者７０の睡眠状況に与えた影響を容易に把握できる。
【００９１】
また、対象者７０の睡眠状況は、対象者７０の就寝時刻、起床時刻、睡眠時間および離床回数の少なくとも一つを含む。これにより、ユーザーは、対象者７０の睡眠状況を、様々な観点から確認できる。
【００９２】
また、対象者７０における変化は、対象者７０の睡眠状況に影響する因子における変化を含む。これにより、ユーザーは、対象者７０の睡眠状況に影響する因子における変化が、対象者７０の睡眠状況に与えた影響を容易に把握できる。
【００９３】
また、対象者７０の睡眠状況に影響する因子における変化は、対象者７０の睡眠導入剤の使用量、運動量、昼寝時間および食事内容の少なくとも一つにおける変化を含む。これにより、ユーザーは、対象者７０の睡眠状況に直接的に影響を与える睡眠導入剤の使用量における変化や、何らかの影響を与える可能性が高い運動量、昼寝時間および食事内容における変化が、対象者７０の睡眠状況に実際に与えた影響を容易に把握できる。すなわち、ユーザーは、例えば、睡眠導入剤について、使用が必要であったか否かや、使用量が適切であったか否か等を判断したり、運動、昼寝および食事について、対象者７０の睡眠を改善するために適切な対応がされたか否か等を判断したりできる。したがって、ユーザーとしてのスタッフ８０および管理者９０等は、判断結果を将来のケアプランに反映させることができる。
【００９４】
また、対象者７０における変化に関する情報は、対象者７０に対するケアプランに関する情報に基づいて取得される。これにより、レポートの作成対象となる期間が指定されなくても、ケアプランの変更に基づいて当該期間が設定され、対象者７０の睡眠状況の傾向を可視化したレポートが出力される。
【００９５】
以上に説明した見守りシステムの構成は、上述の実施形態の特徴を説明するにあたって主要構成を説明したのであって、上述の構成に限られず、特許請求の範囲内において、種々改変することができる。また、一般的な見守りシステムが備える構成を排除するものではない。
【００９６】
例えば、上述した実施形態では、レポートの作成対象となる所定の期間は、例えば、対象者７０の睡眠状況に影響する因子における変化があった日を含む任意の期間であると説明した。ここで、対象者７０の睡眠状況に影響する因子が複数ある場合、所定の期間を設定するための因子は、レポートの出力の際に、あるいは予め、管理者９０によって選択された因子であってもよい。例えば、管理者９０によって「睡眠導入剤の使用量」が選択された場合、所定の期間は、対象者７０の睡眠導入剤の使用量における変化があった日に基づいて設定されてもよい。また、管理者９０によって「運動量」が選択された場合、所定の期間は、対象者７０の運動量における変化があった日に基づいて設定されてもよい。
【００９７】
具体的には、例えば、対象者７０の睡眠状況に影響する因子が複数ある場合、当該因子の候補が、管理者端末３０の表示部３３に選択可能に表示されてもよい。そして、当該因子の候補のうち所定の期間を設定するための因子が、管理者端末３０の入力部３４を介して、管理者９０によって選択されてもよい。この場合、図９に示す処理は、少なくともステップＳ１０４の前に、当該因子の選択を管理者端末３０から受け付けるステップをさらに含んでもよい。そして、ステップＳ１０４では、対象者変化情報として、受け付けられた因子における変化に関する情報が取得されてもよい。これにより、対象者７０の睡眠状況に影響する複数の因子のうち、選択された因子における変化の前後における対象者７０の睡眠状況の傾向を可視化したレポートが出力される。そして、ユーザーは、当該因子における変化が対象者７０の睡眠状況に与えた影響を容易に把握できる。
【００９８】
また、上記実施形態では、レポートは、定期的に、あるいは指示があるごとに不定期に出力されると説明したが、レポートは、対象者７０における変化があったと判断された場合に、自動的に出力されてもよい。この場合、図９に示す処理は、少なくともステップＳ１０３の前に、対象者７０における変化があったか否かを判断するステップをさらに含んでもよい。そして、対象者７０における変化があったと判断された場合、ステップＳ１０３では、変化があった対象者７０の指定が受け付けられたものとされ、変化があった対象者７０について、ステップＳ１０４〜Ｓ１０７の処理が自動的に実行されてもよい。なお、上述したように、対象者７０の睡眠状況に影響する因子が複数ある場合には、管理者９０によって選択された因子における変化があったと判断された場合に、ステップＳ１０４〜Ｓ１０７の処理が自動的に実行されてもよい。
【００９９】
また、上記実施形態では、対象者睡眠状況情報は、検出部１０によって測定される起床時刻に関する情報を含むと説明したが、検出部１０によって測定される、起床してから離床するまでの時間に関する情報をさらに含んでもよい。そして、起床してから離床するまでの時間の傾向を可視化したレポートが出力されてもよい。これにより、ユーザーは、例えば当該時間が長い場合、対象者７０の起床後に睡眠導入剤の影響が残っており、対象者７０の睡眠導入剤の使用量が多すぎたこと等を把握できる。
【０１００】
また、サーバー２０が備える機能を、管理者端末３０、または検出部１０が備えるようにしてもよい。
【０１０１】
また、検出部１０、サーバー２０、管理者端末３０およびスタッフ端末４０は、それぞれ複数の装置により構成されてもよく、いずれか複数の装置が単一の装置として構成されてもよい。
【０１０２】
また、上述したフローチャートは、一部のステップを省略してもよく、他のステップが追加されてもよい。また各ステップの一部は同時に実行されてもよく、一つのステップが複数のステップに分割されて実行されてもよい。
【０１０３】
また、レポートにおいて、複数の対象者７０の睡眠状況が、対象者７０ごとに可視化されてもよい。この場合、レポートには、対象者７０ごとのコメントが追加されてもよい。これにより、施設全体として各対象者７０に対するサービスの向上が実現される。
【０１０４】
また、上述した実施形態に係る見守りシステム１における各種処理を行う手段および方法は、専用のハードウェア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【０１０５】
本出願は、２０１８年６月２５日に出願された日本特許出願（特願２０１８−１１９５６３号）に基づいており、その開示内容は、参照され、全体として組み入れられている。
【符号の説明】
【０１０６】
１  見守りシステム、
１０  検出部、
１１  制御部、
１２  通信部、
１３  カメラ、
１４  ナースコール部、
１５  音声入出力部、
２０  サーバー、
２１  制御部、
２１１  入力制御部、
２１２  記憶制御部、
２１３  取得部、
２１４  演算部、
２１５  出力制御部、
２２  通信部、
２３  記憶部、
３０  管理者端末、
３１  制御部、
３２  通信部、
３３  表示部、
３４  入力部、
４０  スタッフ端末、
４１  制御部、
４２  無線通信部、
４３  表示部、
４４  入力部、
４５  音声入出力部、
５０  ネットワーク、
５１  アクセスポイント、
６０  ベッド、
７０  対象者、
８０  スタッフ、
９０  管理者。
【図１】
2020003714.tif 000003
【図２】
2020003714.tif 000004
【図３】
2020003714.tif 000005
【図４】
2020003714.tif 000006
【図５】
2020003714.tif 000007
【図６】
2020003714.tif 000008
【図７】
2020003714.tif 000009
【図８】
2020003714.tif 000010
【図９】
2020003714.tif 000011
【国際調査報告】
2020003714.tif 000012
2020003714.tif 000013